【事件の表示】
　特願２０１５−１７３３４９「ファイルリフィール」拒絶査定不服審判事件〔平成２９年　３月　９日出願公開、特開２０１７−　４７６２５、請求項の数（２）〕について、次のとおり審決する。
【結　論】
　原査定を取り消す。
　本願の発明は、特許すべきものとする。
【理　由】
第１　手続の経緯
　本願は、平成２７年９月２日の出願であって、平成３０年８月２９日付けで拒絶理由通知がされ、平成３０年１０月２６日付けで手続補正がされ、平成３１年１月７日付けで拒絶査定（以下「原査定」という。）がされ、これに対し、同年４月１１日付けで拒絶査定不服審判が請求されると同時に手続補正がされ、その後、当審において、令和１年５月２７日付けで拒絶理由通知がされ、同月２８日に提出された手続補正書（以下「本件補正書」という。）により手続補正がされたものである。
第２　本願発明
　本願請求項１及び２に係る発明（以下、それぞれ「本願発明１」及び「本願発明２」という。）は、本件補正書により補正された特許請求の範囲の請求項１及び２に記載された事項により特定される発明であり、そのうち、本願発明１は以下のとおりの発明である。
「【請求項１】
　合成樹脂製の第１シートと第２シートからなり、
　内側に収納部を有する袋状シート体の一側に、前記第１シートと前記第２シートとの重ね合わせ帯部を有し、
　該重ね合わせ帯部に、縁からのスリットを有する４個の綴じ孔を形成すると共に、
　該綴じ孔の周辺部に、第１シートと第２シートとの溶着補強部を有することで、
　該重ね合わせ帯部が、溶着補強部と、溶着補強部が形成されている部分以外とで形成され、
　溶着補強部が、綴じ孔の直径を１とすると、長手方向側に２〜５の長さであることを特徴とする、ファイルリフィール。」
　なお、本願発明２は、本願発明１を、さらに減縮した発明である。
第３　引用文献、引用発明等
１　引用文献１について
　原査定の拒絶の理由に引用された引用文献１（特開２０００−１５８８６５号公報）には、図面とともに次の事項が記載されている。
（１）「【０００７】
【発明の実施の形態】以下、本発明の実施の形態について、図面に基づいて説明する。先ず、図１〜図４に基づき第１の実施の形態について説明すると、
１１は合成樹脂製の２枚のシート１２，１３により書類収納部１４が形成されてなる書類収納用ホルダーであって、平面形状が矩形を呈し、書類収納用ホルダー１１の１側辺に沿って超音波融着により無数のスポット状融着部１５を形成してある。
書類収納用ホルダー１１の１側部（当審注：「１側部」は「１側辺」の誤記と認められる。）において書類収納用ホルダー１１を形成する合成樹脂製のシート１２または／および１３の端部を折り返して３層乃至４層構造とし、この３層乃至４層構造の部分にスポット状融着部１５を形成してある。そして、このスポット状融着部１５の範囲内で前記１側辺に沿って適当間隔おきにファイル用手段としてほぼＴ字状に切り込まれた係止部１６を形成してある。さらに、前記書類収納用ホルダー１１を立てた状態における上端の辺に前記書類収納部１４に対し書類１７を出し入れするための開口部１８を形成してある。
【０００８】上記構成において、ファイル用手段としてほぼＴ字状に切り込まれた
係止部１６は、
係止具２０の前記鍔部１９に係止して多数枚の書類収納用ホルダー１１を脱着自在に閉じる（当審注：「閉じる」は「綴じる」の誤記と認められる。）ようになっている（図４参照）。
【０００９】このように、
書類収納用ホルダー１１の係止部１６を係止具２０の鍔部１９に係止させるのであるが、係止部１６に適度の硬さを備えていないと、係止部１６は係止具２０の鍔部１９から簡単に外れることから、前記係止部１６の形成位置に沿って超音波融着により無数のスポット状融着部１５を形成して、係止部１６を補強したのである。
（２）図２
（３）図２からは、Ｔ字状に切り込まれた係止部１６が、書類収納用ホルダーの縁からのスリットと、該スリットよりも幅広の半円孔からなることが看取できる。
（４）上記（１）で摘記した段落【０００７】の「このスポット状融着部１５の範囲内で・・・係止部１６を形成してある。」という記載について、図２を参酌すれば、係止部１６が形成されている範囲は、「無数のスポット状融着部１５が形成されている領域の範囲」の意味であることは明らかである。
（４）図５
（６）図４からは、係止具２０がファイルの一部であることが看取できる。
　したがって、上記引用文献１には次の発明（以下、「引用発明」という。）が記載されていると認められる。
「合成樹脂製の２枚のシート１２，１３により書類収納部１４が形成されてなり、平面形状が矩形を呈し、書類収納用ホルダー１１の１側辺において書類収納用ホルダー１１を形成する合成樹脂製のシート１２または／および１３の端部を折り返して３層乃至４層構造とし、この３層乃至４層構造の部分に無数のスポット状融着部１５を形成してあり、無数のスポット状融着部１５が形成された形成された領域の範囲内で前記１側辺に沿って適当間隔おきにファイル用手段としてほぼＴ字状に切り込まれ、前記書類収納用ホルダー１１の縁からのスリットと、該スリットよりも幅広の半円孔からなる係止部１６を形成してあり、さらに、前記書類収納用ホルダー１１を立てた状態における上端の辺に前記書類収納部１４に対し書類１７を出し入れするための開口部１８を形成してあり、係止部１６がファイルの係止具２０の鍔部１９に係止され、着脱自在に綴じられる書類収納用ホルダーであって、係止部１６に適度の硬さを備えていないと、係止部１６は係止具２０の鍔部１９から簡単に外れることから、前記係止部１６の形成位置に沿って超音波融着により無数のスポット状融着部１５を形成して、係止部１６を補強した書類収納用ホルダー１１。」
２　引用文献２について
　また、原査定の拒絶の理由に引用された引用文献２（実願昭５２−６４１５２号（実開昭５３−１５９７３０号）のマイクロフィルム）には、図面とともに次の事項が記載されている。
（１）「本考案は第１図に示すごとく綴代１.に綴込用穴２.を設けてなる台紙３.において，綴込用穴２.から綴代１の端縁４.に至って辺込５.（当審注：「辺込５.」は「切込５.」の誤記と認められる。）を設けたことを特徴とする綴込台紙である。
　すなわち，本考案の綴込台紙は第２図に示すごとく，
ルーズリーフ式バインダー７.の台紙綴込用金具８.への着脱に際して綴込台紙３.を綴込用穴２.から綴代１.の端縁４.に至る切込５.に平行なＡＡ'方向に移動せしめるだけで切込５.のスリットが台紙綴込用金具８.を通過する
　本考案の綴込台紙は，ルーズリーフ式バインダーへのファイル中にあっては，台紙綴込用金具に保持されていることが絶対不可欠の条件であり，
押す，引くの力のみによって着脱され，かつ押す，引くの繰り返しによって綴込用穴及び綴代が破損されるようなことがあってはならない。
　
したがって，本考案の綴込台紙の素材は適度の柔軟性を有すると同時に腰のあるものでなければならない。したがって最も好ましい素材はプラスチックスである
特にプラスチックスを素材とする場合には第１図Ｃに示すごとく，綴込用穴２の周縁及び綴込用穴２.から綴代１.の端縁４.に至る切込５.の周縁を熱溶融によって強化することができる利点がある。
（２）第１図Ｃ
（３）第１図Ｃからは、綴込台紙３.の綴代１.に沿って熱溶融によって強化された部分と、熱溶融されていない部分とが形成されていることが看取できる。
　したがって、上記引用文献２には、ルーズリーフ式バインダー７.の台紙綴込用金具８.への着脱に際して、綴込用穴２.から綴代１.の端縁４.に至る切込５.に平行な方向に移動せしめられる綴込台紙３.は、押す、引くの力のみによって着脱され、かつ押す、引くの繰り返しによって綴込用穴及び綴代が破損されるようなことがないように、最も好ましい素材がプラスチックスであり、プラスチックスを素材とする場合には、綴込用穴２.の周縁及び綴込用穴２.から綴代１.の端縁４.に至る切込５.の周縁を熱溶融によって強化することができるという技術的事項が記載されていると認められる。
第４　対比・判断
１　本願発明１について
（１）対比
　本願発明１と引用発明とを対比すると、次のことがいえる。
ア　引用発明は、「合成樹脂製の２枚のシート１２，１３により書類収納部１４が形成されてなり」、「前記書類収納用ホルダー１１を立てた状態における上端の辺に前記書類収納部１４に対し書類１７を出し入れするための開口部１８を形成してあ」ることから、「袋状」の構成を有するといえる。
　したがって、引用発明の「合成樹脂製の２枚のシート１２，１３により書類収納部１４が形成されてなり、平面形状が矩形を呈し、書類収納用ホルダー１１の１側辺において書類収納用ホルダー１１を形成する合成樹脂製のシート１２または／および１３の端部を折り返して３層乃至４層構造とし、この３層乃至４層構造の部分」は、本願発明１の「合成樹脂製の第１シートと第２シートからなり、内側に収納部を有する袋状シート体の一側」の「前記第１シートと前記第２シートとの重ね合わせ帯部」に相当する。
イ　引用発明の「書類収納用ホルダー１１の縁からのスリットと、該スリットよりも幅広の半円孔からなる係止部１６」は、本願発明１の「縁からのスリットを有する」「綴じ孔」に相当する。
ウ　引用発明の「無数のスポット状融着部１５」は、「３層乃至４層構造の部分」に形成されたものであり、「３層乃至４層構造の部分」が、本願発明１の「重ね合わせ帯部」に相当することは、上記アで検討したとおりである。
　したがって、引用発明の「無数のスポット状融着部１５が形成された範囲内で」、「前記書類収納用ホルダー１１の縁からのスリットと、該スリットよりも幅広の半円孔からなる係止部１６を形成してあ」ることは、本願発明１の「該重ね合わせ帯部に、縁からのスリットを有する」「綴じ孔を形成する」ことに相当する。
エ　引用発明の「無数のスポット状融着部１５」は、「３層乃至４層構造の部分」に形成されて「係止部１６を補強」する機能を果たしていることから、引用発明の「無数のスポット状融着部１５が形成された領域」は、本願発明１の「第１シートと第２シートの溶着補強部」に相当する。
　また、引用発明の「係止部１６」が、「無数のスポット状融着部１５が形成された領域の範囲内で」形成されることから、「無数のスポット状融着部１５」は、「係止部１６」の周辺部を含めて形成されているものと認められる。
　よって、本願発明１と引用発明とは、少なくとも、綴じ孔の周辺部に、第１シートと第２シートとの溶着補強部を有する点で共通する。
オ　本願発明１の「ファイルリフィール」の対比にあたり、本願明細書の記載を参酌すると、本願明細書の段落［０００１］に、「ファイルリフィール」は、「リングファイル等に綴じるために使用する」ものと定義されている。
　引用発明の「書類収納用ホルダー１１」は、「係止部１６がファイルの係止具２０の鍔部１９に係止され、着脱自在に綴じられる」ものであるから、上記本願明細書の定義に照らせば、本願発明１の「ファイルリフィール」に相当するものといえる。
　したがって、本願発明１と引用発明との間には、次の一致点、相違点があるといえる。
［一致点］
　「合成樹脂製の第１シートと第２シートからなり、
　内側に収納部を有する袋状シート体の一側に、前記第１シートと前記第２シートとの重ね合わせ帯部を有し、
　該重ね合わせ帯部に、縁からのスリットを有する綴じ孔を形成すると共に、
　少なくとも、該綴じ孔の周辺部に、第１シートと第２シートとの溶着補強部を有する、ファイルリフィール。」
［相違点１］
　本願発明１では、「綴じ孔」の数が「４個」であるのに対して、引用発明では、具体的な個数が特定されていない点。
［相違点２］
　本願発明１では、「重ね合わせ帯部が、溶着補強部と、溶着補強部が形成されている部分以外とで形成され、溶着補強部が、綴じ孔の直径を１とすると、長手方向側に２〜５の長さである」のに対して、引用発明では、「３層乃至４層構造の部分」全体に「無数のスポット状融着部１５」が形成されており、「３層乃至４層構造の部分」に、「無数のスポット状融着部１５」が形成されていない部分がなく、結果として、綴じ孔の直径と、溶着補強部の長さも、本願発明１の関係を満たさない点。
（２）相違点についての判断
　事案に鑑みて、上記相違点２について検討する。
　引用文献２には、第３の２に説示したとおりの技術的事項が記載されているが、綴込用穴２の周縁及び綴込用穴２.から綴代１.の端縁４.に至る切込５.の周縁を熱溶融によって強化することしか記載されておらず、熱溶融によって強化する範囲を、綴込用穴２.の直径を１とすると、長手方向に２〜５の長さとすることは、引用文献２に記載されていない。
　したがって、引用発明に対して、引用文献２に記載された技術的事項を適用しても、直ちに、上記相違点２に係る、本願発明１の発明特定事項を導き出すことはできない。
　また、熱溶融によって強化する範囲を、綴込用穴２.の直径を１とすると、長手方向に２〜５の長さとすることが、本願出願時の周知技術であることを示す証拠もない。
　そして、本願発明１は、溶着補強部を、綴じ孔の周辺部の一定範囲にのみ設けることで、「綴じ込みや取り外しの作業を行う際にも、溶着補強部９が形成されている部分以外は、シート材としての柔軟性があるのでしなりやすく、容易に綴じ込みや取り外し作業を行うことができる。」（段落［００１９］）という、引用文献１及び２に記載も示唆もされていない効果を奏する。
　したがって、上記相違点２に係る、本願発明１の発明特定事項を導き出すことは、当業者が適宜なし得た設計変更ということはできない。
　よって、上記相違点１について判断するまでもなく、本願発明１は、当業者であっても引用発明、引用文献２に記載された技術的事項に基づいて容易に発明できたものとはいえない。
２　本願発明２について
　本願発明２も、本願発明１の「該重ね合わせ帯部が、溶着補強部と、溶着補強部が形成されている部分以外とで形成され、溶着補強部が、綴じ孔の直径を１とすると、長手方向側に２〜５の長さである」という同一の構成を備えるものであるから、本願発明１と同じ理由により、当業者であっても、引用発明、引用文献２に記載された技術的事項に基づいて容易に発明できたものとはいえない。
第５　原査定の概要及び原査定についての判断
　原査定は、請求項１及び２について上記引用文献１及び２に基づいて、当業者が容易に発明できたものであるから、特許法第２９条第２項の規定により特許を受けることができないというものである。しかしながら、審判請求時の補正により、本願発明１及び２は、「該重ね合わせ帯部が、溶着補強部と、溶着補強部が形成されている部分以外とで形成され、溶着補強部が、綴じ孔の直径を１とすると、長手方向側に２〜５の長さである」という事項を有するものとなっており、上記のとおり、本願発明１及び２は、上記引用文献１に記載された発明及び上記引用文献２に記載された技術的事項に基づいて、当業者が容易に発明できたものではない。したがって、原査定を維持することはできない。
第６　当審拒絶理由について
　当審では、請求項１の「一側帯」という記載の意味が不明確であるとの拒絶理由を通知しているが、本件補正書による補正において、「一側」と補正された結果、この拒絶理由は解消した。
第７　むすび
　以上のとおり、本願発明１及び２は、当業者が引用発明及び引用文献２に記載された技術的事項に基づいて容易に発明をすることができたものではない。
　したがって、原査定の理由によっては、本願を拒絶することはできない。
　また、他に本願を拒絶すべき理由を発見しない。
　よって、結論のとおり審決する。